(57)【要約】  【課題】絡みが生ずることなく、収納も容易でコスト的にも安価なコード構造及びイヤホンのコード構造を提供する。  【解決手段】イヤホンとプラグ間等を電気的に接続するコード部に、所定の間隔で、通常コード部３１Ａ〜３１Ｚ（３１ＺＲ、３１ＺＬ）と比較して曲げが生じにくい特定部３２Ａ〜３２Ｚ（３２ＺＲ、３２ＺＬ）を複数個設ける。この特定部は、コード部の肉厚を他の部位よりも厚くしたり、金属、プラスティック、紙、有機／無機物質等の補強材料で被覆した構成する。【選択図】        図１
2005191842.tif 000002
【特許請求の範囲】
【請求項１】
コード部に、所定の間隔で、他部と比較して曲げが生じにくい特定部を複数個設けたことを特徴とするコード構造。
【請求項２】
前記特定部は、前記コード部の肉厚を他の部位よりも厚くして構成したことを特徴とする請求項１に記載のコード構造。
【請求項３】
前記特定部は、前記コード部を補強材料で被覆したことを特徴とする請求項１に記載のコード構造。
【請求項４】
前記補強材料は、金属、プラスティック、紙、ゴム、有機／無機物質のいずれかであることを特徴とする請求項３に記載のコード構造。
【請求項５】
イヤホンとプラグ間を電気的に接続するコード部を有するコード構造において、
前記コード部に、他部と比較して曲げが生じにくい特定部を複数個設けたことを特徴とするイヤホンのコード構造。
【請求項６】
前記特定部は、前記コード部の肉厚を他の部位よりも厚くして構成したことを特徴とする請求項５に記載のイヤホンのコード構造。
【請求項７】
前記特定部は、前記コード部を補強材料で被覆したことを特徴とする請求項５に記載のイヤホンのコード構造。
【請求項８】
前記補強材料は、金属、プラスティック、紙、ゴム、有機／無機物質のいずれかであることを特徴とする請求項７に記載のイヤホンのコード構造。
【発明の詳細な説明】
【技術分野】
【０００１】
本発明はコード構造に関し、特に、絡みを防止するコード構造及びイヤホンのコード構造に関する。
【背景技術】
【０００２】
ＭＤプレーヤー、ＣＤプレーヤー等の携帯型オーディオ装置では、スピーカを内蔵させるのは装置自体の大型化や重量の増大を来たすため、本体に接続したヘッドホンを耳にかけて音楽等を聴くのが普通である。
【０００３】
これらの携帯型オーディオ装置は、携帯型であるが故に使用は頻繁で、使用後はカバンにしまい、再度の使用時にはカバンから携帯型オーディオ装置を取り出してコードを引っ張り出してイヤホンを耳に装着するような使用状況が一般的である。その際、コードは特に留意することなくそのまま無造作にまとめて収納されている。
【発明の開示】
【発明が解決しようとする課題】
【０００４】
以上のように、従来の携帯型オーディオ装置のイヤホンの使用は、頻繁に繰り返され、また当該携帯型オーディオ装置をカバン等に収納する際には、無造作にコードはまとめて、またはそのままカバン内に入れている。
【０００５】
通常コード部は直径が小さく、非常に細長いため無造作な取り扱いは、コードの絡みに繋がる。特に、コードが長ければ長いほど絡みは生じやすく、使用時には、その絡みを解かなければならず、その解きは大変に手間ひまがかかり、時には絡んだ状態のまま使用をせざるを得ない場合もある。この場合には、使用後に再びカバン等に入れることになるが、更なる絡みが生じて、そのからみを解くのは大変な作業が必要となり、最終的にそのコードのイヤホンを捨ててしまうことになる事態も生じ得る。
【０００６】
したがって、イヤホンをカバン等に収納する際には、コードを整然と折り畳まざるを得ず、煩雑であった。
【０００７】
ステレオヘッドホン用で右耳用イヤホンと左耳用イヤホンとがコードを含めて絡み合ってしまうことを回避する構造が特許文献１に開示されている。この特許文献１には、右耳用イヤホンと左耳用イヤホンのいずれかに凹部を、他方に凸部を設け、収納時にこれら凹部と凸部を嵌合、係止させて、右耳用イヤホンと左耳用イヤホン部の絡み合いを防止する構造が開示されている。
【０００８】
【特許文献１】特開平９−３０７９８１号公報（〔０００６〕〜〔０００９〕、図１）
【０００９】
しかしながら、かかる構造は、右耳用イヤホンと左耳用イヤホンのみが絡み合ってしまうことを回避することは可能であるものの、コード部が長い場合には、コード自体が絡んでしまい、抜本的なコード絡みの防止策ではない。
【００１０】
これらの問題は携帯型オーディオ装置に限らず、大型テレビや据え置き型のオーディオ装置であっても、イヤホンで聴く場合に使用する長いコードを有する場合にも同様に生ずるし、更には、オーディオ装置用のイヤホン（ヘッドホン）に限らず、電源コードを含むすべての折り曲げが容易な構成についても生ずる。
【００１１】
本発明は、従来技術の上述した課題に鑑みなされたものであり、本発明の主要目的は、絡みが生ずることなく、収納も容易でコスト的にも安価なコード構造及びイヤホンのコード構造を提供することである。
【課題を解決するための手段】
【００１２】
前述の課題を解決するため、本発明によるコード構造及びイヤホンのコード構造は、次のような特徴的な構成を採用している。
【００１３】
（１）コード部に、他部と比較して曲げが生じにくい特定部を複数個設けたコード構造。
【００１４】
（２）前記特定部は、前記コード部の肉厚を他の部位よりも厚くして構成した上記（１）のコード構造。
【００１５】
（３）前記特定部は、前記コード部を補強材料で被覆した上記（１）のコード構造。
【００１６】
（４）前記補強材料は、金属、プラスティック、紙、ゴム、有機／無機物質のいずれかである上記（３）のコード構造。
【００１７】
（５）イヤホンとプラグ間を電気的に接続するコード部を有するコード構造において、
前記コード部に、他部と比較して曲げが生じにくい特定部を複数個設けたイヤホンのコード構造。
【００１８】
（６）前記特定部は、前記コード部の肉厚を他の部位よりも厚くして構成した上記（５）のイヤホンのコード構造。
【００１９】
（７）前記特定部は、前記コード部を補強材料で被覆した上記（５）のイヤホンのコード構造。
【００２０】
（８）前記補強材料は、金属、プラスティック、紙、ゴム、有機／無機物質のいずれかである上記（７）のイヤホンのコード構造。
【発明の効果】
【００２１】
本発明のコード構造及びイヤホンのコード構造によると次の如き実用上の顕著な効果を有する。即ち、本発明では、コード部に、所定のインターバルで曲げ変更を困難にするような特定部を設けているので、コードの絡みは防止できるし、収納もきわめて容易となる。
【００２２】
以下、本発明によるコード構造及びイヤホンのコード構造についての好適実施例の構成を、添付図面を参照して詳細に説明する。
【００２３】
図１は、本発明によるコード構造の一実施例としてのイヤホンのコード構造を示し、オーディオ装置に使用するイヤホンのコード伸張状態の側面図である。
【００２４】
図１から明らかなように、イヤホン（右耳用イヤホン１Ｒと左耳用イヤホン１Ｌ）とオーディオ装置（ＣＤ、ＭＤ、ＭＰ３プレーヤ等）本体のイヤホン挿入口に挿入されるプラグ２間を電気的に接続するコード部３から成り、コード部３はイヤホン側で分岐され、右耳用イヤホン１Ｒ側と左耳用イヤホン１Ｌ側で長さを違えて使用性を改善している。近年は、コード部３の中間部にリモートコントロール部が設置されているものも多い。
【００２５】
本実施例では、コード部３を所定のインターバルで曲げ変更を困難（以下、特定部と称する）にするような構成を採用している。この特定部は、例えば、コードの肉厚を厚くしたり、補強材料でコードを補強することにより構成することができる。補強材料としては、金属、プラスティック、紙、ゴム、有機／無機物質等が例として挙げられる。
【００２６】
図１を参照すると、コード部３は、通常コード部３１Ａ〜３１Ｚ（３１ＺＲ、３１ＺＬ）、隣り合う通常コード部間に設けられた特定部３２Ａ〜３２Ｚ（３２ＺＲ、３２ＺＬ）を備える。すなわち、プラグ２側からイヤホン側に向かって、通常コード部と特定部が順次構成されており、３１Ａ、３２Ａ、３１Ｂ、３２Ｂ、３１Ｃ、３２Ｃ、３１Ｄ、．．．、３２Ｕ、３１Ｖ、３１Ｗを経て、左側用イヤホン側のコード部の通常コード部と特定部の順次構成：３２ＸＬ、３１ＸＬ、３２ＹＬ、３１ＹＬ、３２ＺＬ、３１ＺＬと、右側用イヤホン側のコード部の通常コード部と特定部の順次構成：３２ＶＲ、３１ＶＲ、３２ＸＲ、３１ＸＲ、３２ＹＲ、３１ＹＲ、３２ＺＲ、３１ＺＲが構成されている。
【００２７】
図１に示すような構成を有するコード構造ではコード部３には所定間隔で曲げが発生し難い特定部を有するので、コード部を整然と折り畳むことをユーザが意識しなくとも、この特定部がコードの絡みの発生を抑制することができる。
【００２８】
図２には、本実施例のコード構造のコード部を交互に折り畳んだ状態が示されている。このような折り畳み状態は、ユーザがコード部を折り畳むだけで簡単に得られる。
【００２９】
上記特定部を構成するためのコード肉厚の増大は、コード部を製造する段階で付加的に行うことができ、その製造に更なる大きなコストがかかることはないし、補強材料でコードを補強することもそれほど大きなコスト、設備を必要としない。
【００３０】
以上、本発明によるコード構造の好適実施例の構成を詳述した。しかし、斯かる実施例は、本発明の単なる例示に過ぎず、もちろん、何ら本発明を限定するものではないことに留意されたい。本発明の要旨を逸脱することなく、特定用途に応じて種々の変形変更が可能であること、当業者には容易に理解できよう。例えば、本発明は電源コードを含め他の任意のコード構造に適用できることは明らかである。
【図面の簡単な説明】
【００３１】
【図１】本発明によるコード構造の一実施例としてのイヤホンのコード構造を示し、コードの伸張状態の側面図である。
【図２】本実施例のコード構造のコード部を交互に折り畳んだ状態を示す図である。
【符号の説明】
【００３２】
１Ｌ、１Ｒ        イヤホン
２                プラグ
３                コード部
３１Ａ〜３１Ｚ（３１ＺＲ、３１ＺＬ）  通常コード部
３２Ａ〜３２Ｚ（３２ＺＲ、３２ＺＬ）  特定部
【図１】
2005191842.tif 000003
【図２】
2005191842.tif 000004